(57)【要約】レンズ鏡筒（１０）は、カメラ本体に着脱可能であって、外装ユニット（１９）と、後枠（２０）と、三脚座（２１）と、三脚ロックねじ（２２）と、を備えている。外装ユニット（１９）は、光学系を含む。後枠（２０）は、外装ユニット（１９）に対して光軸回りに回転可能に取り付けられる。レンズ鏡筒（１０）の外周面は、外装ユニット（１９）と後枠（２０）とにより構成される。三脚座（２１）は、三脚に固定されるために後枠（２０）に設けられている。三脚ロックねじ（２２）は、レンズ鏡筒（１０）がカメラ本体に取り付けられた状態において、カメラ本体に対する後枠（２０）の光軸回りの回転位置を、所定の回転位置において固定する。
2017115465.tif 000002
【特許請求の範囲】
【請求項１】
カメラ本体に着脱可能なレンズ鏡筒であって、
光学系を保持する前枠と、
前記前枠とともに前記レンズ鏡筒の外周面を構成し、前記前枠に対して光軸回りに回転可能な状態で取り付けられた後枠と、
三脚に固定されるために前記後枠に設けられた三脚座と、
前記前枠に前記カメラ本体が取り付けられた状態において、前記カメラ本体に対する前記後枠の光軸回りの回転位置を、所定の回転位置において固定する固定部材と、
を備えたレンズ鏡筒。
【請求項２】
前記後枠は、操作をするためのスイッチ部材を有する、
請求項１に記載のレンズ鏡筒。
【請求項３】
前記後枠は、前記スイッチ部材と前記前枠とを電気的に接続するフレキシブル基板を有する、
請求項２に記載のレンズ鏡筒。
【請求項４】
前記固定部材は、前記前枠に対する押圧力によって、前記後枠の回転を規制する、
請求項１から３のいずれか１項に記載のレンズ鏡筒。
【請求項５】
前記固定部材は、前記光軸に交差する方向に進退するために形成されたネジ部を有している、
請求項４に記載のレンズ鏡筒。
【請求項６】
所定の回転位置において、前記前枠に形成された当接部に当たって、前記後枠の回転範囲を規制する係止ピンを、さらに備えている、
請求項１から５のいずれか１項に記載のレンズ鏡筒。
【請求項７】
請求項１から６のいずれか１項に記載のレンズ鏡筒と、
前記レンズ鏡筒が装着されるカメラ本体と、
を備えたカメラ。
【発明の詳細な説明】
【技術分野】
【０００１】
本開示は、レンズ鏡筒およびこれを備えたカメラに関する。
【背景技術】
【０００２】
焦点距離が長いレンズ鏡筒は、一般的なレンズ鏡筒よりも大型化し重量が大きくなる。このため、焦点距離が長いレンズ鏡筒がカメラ本体へ装着されると、カメラの重心位置が被写体側へ移動する。この結果、カメラ本体側に三脚を接続した場合には、カメラの重心位置が被写体側に移動するため、被写体側へ倒れてしまうおそれがある。【０００３】
そこで、焦点距離が長いレンズ鏡筒を装着したカメラをバランスよく三脚で支持するために、三脚座を備えたレンズ鏡筒が用いられている。【０００４】
特許文献１には、三脚座が三脚リングを介して外装環に取り付けられたレンズ鏡筒について開示されている。
【先行技術文献】
【特許文献】
【０００５】
【特許文献１】特開２０１２−３７６９３号公報
【発明の概要】
【０００６】
リング式の回転三脚座を有するレンズ鏡筒においては、レンズ鏡筒の小型化や部品点数の削減が難しい。
【０００７】
本開示に係るレンズ鏡筒は、カメラ本体に着脱可能なレンズ鏡筒である。レンズ鏡筒は、前枠と、後枠と、三脚座と、固定部材と、を備える。前枠は、光学系を含む。後枠は、前枠に対して光軸回りに回転可能な状態で取り付けられる。レンズ鏡筒の外周面は、前枠と後枠とにより構成される。三脚座は、三脚に固定されるために後枠に設けられる。固定部材は、前枠にカメラ本体が取り付けられた状態において、カメラ本体に対する後枠の光軸回りの回転位置を、所定の回転位置において固定する。
【０００８】
本開示に係るレンズ鏡筒によれば、レンズ鏡筒の小型化や部品点数の削減を図ることができる。
【図面の簡単な説明】
【０００９】
【図１Ａ】図１Ａは、本開示の一実施形態に係るレンズフードの保持構造を含むレンズ鏡筒の光学系が広角側（ＷＩＤＥ位置）にある状態を示す斜視図である。
【図１Ｂ】図１Ｂは、図１Ａのレンズ鏡筒の光学系が望遠側（ＴＥＬＥ位置）へ移動した状態を示す斜視図である。
【図２Ａ】図２Ａは、図１Ａのレンズ鏡筒の断面図である。
【図２Ｂ】図２Ｂは、図１Ｂのレンズ鏡筒の断面図である。
【図３】図３は、図１Ａのレンズ鏡筒を構成する各部品の分解斜視図である。
【図４】図４は、図１Ａのレンズ鏡筒の被写体とは反対側の外装部分を構成する後枠の分解斜視図である。
【図５】図５は、図４の後枠のさらに詳細な分解斜視図である。
【図６】図６は、図４の後枠に取り付けられる三脚座の構成を示す分解斜視図である。
【図７】図７は、図４の後枠に取り付けられる三脚ロックねじの構成を示す分解斜視図である。
【図８】図８は、図４の後枠に取り付けられる三脚ロックねじの構成を示す分解斜視図である。
【図９】図９は、図１Ａのレンズ鏡筒の三脚座が正姿勢時の状態を示す断面図である。
【図１０】図１０は、図１Ａのレンズ鏡筒の三脚座が正姿勢から９０度回転した状態を示す断面図である。
【図１１】図１１は、図１Ａのレンズ鏡筒がカメラ本体に装着された状態で三脚座が正姿勢時の状態を示す斜視図である。
【図１２】図１２は、図１Ａのレンズ鏡筒がカメラ本体に装着された状態で三脚座が正姿勢から９０度回転した状態を示す斜視図である。
【図１３Ａ】図１３Ａは、図１Ａのレンズ鏡筒がカメラ本体に装着された状態で三脚座が正姿勢時のスイッチフレキ部を示す図である。
【図１３Ｂ】図１３Ｂは、図１Ａのレンズ鏡筒がカメラ本体に装着された状態で三脚座が正姿勢から９０度回転させた際のスイッチフレキ部を示す図である。
【図１４】図１４は、本開示の他の実施形態に係るレンズ鏡筒に含まれる後枠に取り付けられる三脚座の構成を示す分解斜視図である。
【図１５Ａ】図１５Ａは、図１４のレンズ鏡筒がカメラ本体に装着された状態で三脚座が正姿勢時の状態を示す断面図である。
【図１５Ｂ】図１５Ｂは、図１４のレンズ鏡筒がカメラ本体に装着された状態で三脚座が正姿勢から９０度回転した状態を示す断面図である。
【発明を実施するための形態】
【００１０】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって請求の範囲に記載の主題を限定することを意図するものではない。
【００１２】
従来のレンズ鏡筒は、レンズ鏡筒を支持する三脚を取り付けるために、三脚座を設けるための部材（三脚リング）を別途設ける必要があった。このため、レンズ鏡筒を構成する部品点数が増加するとともに、レンズ鏡筒を大型化するおそれがあった。
【００１３】
（実施形態１）
本開示の一実施形態に係るレンズ鏡筒について、図１Ａ〜図１５Ｂを用いて以下に説明する。
【００１４】
（レンズ鏡筒１０全体の構成）
本実施形態に係るレンズ鏡筒１０は、カメラ本体５０（図１１および図１２参照）のマウント部に装着されるレンズ鏡筒である。カメラ１００は、レンズ鏡筒１０とカメラ本体５０とから構成される。レンズ鏡筒１０は、カメラ本体５０に設けられた撮像素子へ、被写体像を導く光学系（レンズＬ１〜Ｌ１８（図２Ａ等参照））を有している。
【００１５】
また、レンズ鏡筒１０は、図１Ａ等に示すように、被写体側の先端部分に、レンズフード３０が被写体側へ繰り出し可能な状態で取り付けられている。さらに、レンズ鏡筒１０は、図１Ａおよび図１Ｂに示すように、内蔵する光学系が広角側（ＷＩＤＥ位置）と望遠側（ＴＥＬＥ位置）との間において移動することで、倍率を変えて撮影を行うことができる。
【００１６】
レンズ鏡筒１０は、図１Ａに示すＷＩＤＥ位置にある状態では、図２Ａに示すように、１群ユニット１１が外装ユニット１９の内周面側に収納された状態となる。
【００１７】
一方、レンズ鏡筒１０は、図１Ｂに示すＴＥＬＥ位置にある状態では、図２Ｂに示すように、１群ユニット１１が光軸Ｘ方向に沿って被写体側へ進出し、外装ユニット１９から被写体寄りに突出した状態となる。
【００１８】
そして、レンズ鏡筒１０は、図３に示すように、１群ユニット１１、２群ユニット１２、カム枠１３、固定枠１４、３群ユニット１５、４群ユニット１６、５群ユニット１７、マウントベース１８、外装ユニット（前枠）１９、後枠２０、複数のレンズＬ１〜Ｌ１８を含む光学系、を備えている。
【００１９】
１群ユニット１１は、図３に示すように、レンズ鏡筒１０における最も被写体側へ配置された筒状の部材である。１群ユニット１１は、図２Ａおよび図２Ｂ等に示すように、被写体側においてレンズＬ１〜Ｌ３を保持した状態で、光軸Ｘ方向に沿って前進または後退する。これにより、レンズＬ１〜Ｌ１８の間の距離を変化させることで、光学系の倍率を変えることができる。すなわち、広角撮影や望遠撮影等を行うことができる。
【００２０】
また、本実施形態の１群ユニット１１は、被写体側の先端部分に設けられており、撮影時の不要光の入射を抑制するレンズフード３０を有している。
【００２１】
レンズフード３０は、図３に示すように、円筒状の部材である。レンズフード３０は、使用時には、光軸Ｘ方向に沿って被写体側へ繰り出し可能な状態で取り付けられている。
【００２２】
２群ユニット１２は、図２Ａおよび図２Ｂ等に示すように、１群ユニット１１の内周面側に配置された円筒状の部材であって、レンズＬ４〜Ｌ９を保持している。
【００２３】
カム枠１３は、図３に示すように、円筒状の部材であって、４群ユニット１６の外周面側に配置されている。そして、カム枠１３には、４群ユニット１６の外周面に設けられたカムピン（図示せず）が嵌合するカム溝が形成されている。カム枠１３は、使用者により回転操作されるズームリングと係合されている。カム枠１３は、ズームリングの回転に伴い、回転駆動される。
【００２４】
カム枠１３が回転すると、カム溝に沿ってカムピンが移動する。これにより、カム枠１３を回転させることにより、１群ユニット１１から５群ユニット１７の光軸Ｘ方向における位置を調整できる。よって、１群ユニット１１から５群ユニット１７に含まれるレンズＬ１〜Ｌ１８間の距離を調整して、広角撮影や望遠撮影等を行うことができる。
【００２５】
固定枠１４は、図３に示すように、円筒状の２群ユニット１２および４群ユニット１６の外周側に配置された円筒状の部材である。固定枠１４は、２群ユニット１２から４群ユニット１６の外周面を覆うように配置されている。
【００２６】
３群ユニット１５は、図３に示すように、円筒状の４群ユニット１６の内周側に、光軸Ｘ方向において移動可能な状態で配置されている。３群ユニット１５は、図２Ａ、図２Ｂに示すように、レンズＬ１０〜Ｌ１５を保持している。そして、３群ユニット１５は、カム枠１３の回転に伴い、光軸Ｘ方向に移動する。
【００２７】
４群ユニット１６は、略円筒状であり、４群ユニット１６は、レンズＬ１６を保持している。４群ユニット１６は、図３に示すように、光軸Ｘ方向における被写体側から見て、３群ユニット１５の下流側に配置されている。４群ユニット１６は、カム枠１３の回転に伴い、光軸Ｘ方向に移動する。オートフォーカス用のアクチュエータは、４群ユニット１６のレンズＬ１６を、カム枠１３に対して相対的に光軸Ｘ方向に移動させる。
【００２８】
５群ユニット１７は、図３に示すように、円筒状の４群ユニット１６の内周側に、光軸Ｘ方向において移動可能な状態で配置されている。５群ユニット１７は、図２Ａ、図２Ｂに示すように、レンズＬ１７，Ｌ１８を保持している。そして、５群ユニット１７は、カム枠１３の回転に伴い、光軸Ｘ方向に移動する。
【００２９】
マウントベース１８は、図３に示すように、レンズ鏡筒１０のベースとなる略円筒状の部材である。マウントベース１８には、相対的に回転可能な状態でカム枠１３が取り付けられる。４群ユニットは、カム枠１３と固定枠１４の内周に保持されている。
【００３０】
外装ユニット（前枠）１９は、図１Ａおよび図４等に示すように、レンズ鏡筒１０の外装部分（外周面）を構成する円筒状の部材である。外装ユニット１９外周面には、円環状のフォーカスリングやズームリング等が回転可能な状態で取り付けられている。
【００３１】
後枠２０は、外装ユニット１９の被写体とは反対側の端部に取り付けられている。後枠２０と外装ユニット１９とは、ともにレンズ鏡筒１０の外装部分を構成する。そして、後枠２０は、マウントベース１８、および、外装ユニット１９に対して相対的に回転可能な状態で取り付けられている。
【００３２】
また、後枠２０は、外周面に使用者が操作するためのスイッチ部材２０ｃを有する。後枠は、回路基板２５（図２Ｂ等参照）と、スイッチフレキ（フレキシブル基板）２４（図５等参照）とを内包している。回路基板２５は、使用者によるスイッチ部材２０ｃの操作を検出する。スイッチフレキ２４は、回路基板２５に電気的に接続されている。さらに、後枠２０は、図４に示すように、三脚ベースリング２０ａと、スイッチユニット枠２０ｂとを有している。
【００３３】
三脚ベースリング２０ａには、図４に示すように、外周部分に、三脚を接続するための三脚座２１が取り付けられる。また、三脚ベースリング２０ａは、図５に示すように、マウントベース１８における被写体とは反対側の端部に、三脚補強リング２３を介して取り付けられている。
【００３４】
取付部２０ａａは、図４に示すように、三脚ベースリング２０ａの外周面から内周面側へ貫通するように形成された開口部である。三脚座２１は、取付部２０ａａに取り付けられる。
【００３５】
スイッチユニット枠２０ｂは、図４に示すように、三脚ベースリング２０ａの被写体とは反対側の端部に取り付けられる円筒状の部材である。なお、スイッチユニット枠２０ｂは、図５に示すように、図示しない複数のねじを用いて、三脚ベースリング２０ａに固定される。そして、スイッチユニット枠２０ｂは、オートフォーカス（ＡＦ）とマニュアルフォーカス（ＭＦ）とを切り替えるスイッチを含む各種スイッチ（スイッチ部材２０ｃ）が外周面に設けられている。
【００３６】
三脚座２１は、図示しない三脚が接続される台座である。三脚座２１は、レンズ鏡筒１０の外装部分を構成する三脚ベースリング２０ａの外周面に取り付けられる。そして、三脚座２１は、図６に示すように、三脚ねじ２１ａ、ねじ２１ｂ、三脚ベース２１ｃ、ねじ２１ｄ、ねじ２１ｅ、カバー２１ｆを有している。
【００３７】
三脚ねじ２１ａは、三脚側の雄ねじ部分が螺合する金属製の部材である。これにより、三脚座２１に対して三脚が固定される。三脚ねじ２１ａは、図６に示すように、円柱部２１ａａ、ねじ部２１ａｂを有している。
【００３８】
円柱部２１ａａは、三脚ベースリング２０ａに形成された開口部（取付部２０ａａ）に対して挿入された状態で取り付けられる。
【００３９】
ねじ部２１ａｂは、三脚側の雄ねじ部分が螺合する雌ねじ部分である。ねじ部２１ａｂは、図６に示すように、三脚ねじ２１ａにおいて、円柱部２１ａａの反対側の面に形成されている。
【００４０】
ねじ２１ｂは、図６に示すように、三脚ねじ２１ａを三脚ベース２１ｃに対して固定するために用いられる。
【００４１】
三脚ベース２１ｃは、図６に示すように、三脚ベースリング２０ａに取り付けられる。三脚ベース２１ｃは、ねじ２１ｄおよびねじ２１ｅを用いて、４箇所から三脚ベースリング２０ａの外周面に固定される。三脚ベース２１ｃには、三脚ねじ２１ａが取り付けられる。これにより、三脚ベースリング２０ａは、三脚ねじ２１ａに対して固定される。すなわち、三脚ねじ２１ａに三脚が取り付けられている状態において、三脚ベースリング２０ａは、三脚に対して固定されている。
【００４２】
カバー２１ｆは、図６に示すように、三脚ベース２１ｃにおける三脚が接続される側（図６中下側）の面を構成する樹脂製の板状部材である。カバー２１ｆには、ねじ２１ｅを挿入するためのねじ穴が形成されている。なお、板状部材は金属製であってもよい。
【００４３】
三脚ロックねじ（固定部材）２２は、図６等に示すように、三脚ベースリング２０ａの外周面に取り付けられている。三脚ロックねじ２２が解放状態のとき、後枠２０は、外装ユニット１９（前枠）に対して相対的に回転可能である。三脚ロックねじ２２が固定状態のとき、三脚ロックねじ２２は、後枠２０と外装ユニット１９との相対回転を規制する。これにより、後枠２０と外装ユニット１９の相対回転を任意の回転位置で固定することができる。具体的には、三脚ロックねじ２２は、図７および図８に示すように、回転つまみ２２ａ、ロックねじ２２ｂ、ねじ２２ｃ、ねじベース２２ｄ、止め具２２ｅ、押さえピン２２ｆ、およびねじ２２ｇを有している。この構成により、三脚ロックねじ２２は、光軸Ｘに交差する方向に押圧力を付与し、後枠２０の外装ユニット１９に対する相対的な回転を規制することができる。
【００４４】
回転つまみ２２ａは、三脚ロックねじ２２の外装面を構成する回転つまみ部材であって、使用者の指によって回転操作される。
【００４５】
ロックねじ２２ｂは、図８に示すように、三脚ベースリング２０ａに取り付けられるための雄ねじ部２２ｂａを有している。そして、ロックねじ２２ｂは、図７および図８に示すように、２本のねじ２２ｃを用いて、回転つまみ２２ａの裏面側へ固定される。
【００４６】
ねじベース２２ｄは、図７および図８に示すように、ロックねじ２２ｂの雄ねじ部２２ｂａが螺合する雌ねじ部２２ｄａを有している。雌ねじ部２２ｄａに雄ねじ部２２ｂａが螺合することにより、ねじベース２２ｄと回転つまみ２２ａとは、回転可能な状態で取り付けられる。また、ねじベース２２ｄは、図７および図８に示すように、２本のねじ２２ｇを用いて、三脚ベースリング２０ａの外周面に固定される。
【００４７】
止め具２２ｅは、図７および図８に示すように、ねじベース２２ｄと取付部２０ａａとの間に挟みこまれるように配置されている。止め具２２ｅは、雄ねじ部２２ｂａの回転範囲を規制する。これにより、止め具２２ｅは、雄ねじ部２２ｂａが雌ねじ部２２ｄａに螺合した状態から外れてしまうことを防止する。
【００４８】
押さえピン２２ｆは、ロックねじ２２ｂの雄ねじ部２２ｂａの先端部分に固定されている。回転つまみ２２ａが回転操作されたとき、押さえピン２２ｆは、径方向に移動する。三脚ロックねじ２２の固定状態は、押さえピン２２ｆが押し込む方向に移動した状態、すなわち、押さえピン２２ｆが三脚ベースリング２０ａの取付部２０ａａの開口から内周面側（径方向内側）へ突出した状態である。これにより、三脚ロックねじ２２が固定状態のとき、押さえピン２２ｆは、三脚ベースリング２０ａの内周面側へ配置された部材（三脚補強リング２３）に対して押圧力を加えることができる。
【００４９】
三脚補強リング２３は、図９および図１０に示すように、三脚ロックねじ２２の押さえピン２２ｆの内周側に配置された金属製（アルミ材（Ａ５０５２）、ステンレス鋼材（ＳＵＳ）等）のリング状部材である。三脚ロックねじ２２が回転操作されて三脚ベースリング２０ａの内周側（径方向内側）へ押し込まれると、押さえピン２２ｆは、三脚補強リング２３の外周面に押圧力を加える。これにより、押さえピン２２ｆと三脚補強リング２３との間に摩擦力が生じる。三脚補強リング２３は、内周側に配置された部材（外装ユニット１９の後端部）に対して、ビスにより固定されている。これにより、後枠２０に対する外装ユニット１９の回転を規制することができる。
【００５０】
このとき、押さえピン２２ｆが加える押圧力が外装ユニット１９に加わると、外装ユニット１９の後端部が変形する恐れがある。三脚補強リング２３は、外装ユニット１９よりも剛性が高いことにより、押さえピン２２ｆが加える押圧力を分散させることができる。これにより、押さえピン２２ｆが加える押圧力による外装ユニット１９の後端部の変形を防ぐことができる。
【００５１】
以上のように、後枠２０に対する外装ユニット１９の回転を規制することにより、マウントベース１８（カメラ本体５０）に対する後枠２０の回転を規制することができる。この結果、三脚座２１に対するカメラ本体５０の回転位置を所望の回転位置において固定することができる。すなわち、レンズ鏡筒１０を三脚に固定した状態で、カメラ１００の撮影姿勢を変更し、その撮影姿勢を保持することができる。
【００５２】
カメラ本体５０が被写体に対して正姿勢の状態で三脚を用いた撮影を行う場合、図１１に示すように、三脚座２１の回転位置は、カメラ本体５０の底面の回転位置と同じである。このため、図１１に示す正姿勢で撮影を行う場合には、図９に示す回転位置において三脚ロックねじ２２を時計回りに回転させて固定状態とし、後枠２０の回転を規制する。
【００５３】
これにより、正姿勢における三脚座２１とカメラ本体５０との相対的な回転位置を保持することができる。すなわち、撮影時にカメラ本体５０が回転してしまうことを防止しつつ、撮影を実施することができる。
【００５４】
一方、図１２に示すように、カメラ本体５０を被写体に対して９０度回転させた状態で三脚を用いた撮影を行う場合、三脚座２１は、カメラ本体５０の底面に対して９０度の位置になるように回転させた位置で固定する。図１２に示す回転姿勢（９０度回転姿勢）で撮影を行う場合には、図１０に示す回転位置において三脚ロックねじ２２を時計回りに回転させて固定状態とし、後枠２０の回転を規制する。
【００５５】
これにより、９０度回転姿勢における三脚座２１とカメラ本体５０との相対的な回転位置を保持することができる。すなわち、撮影時にカメラ本体５０が回転してしまうことを防止しつつ、撮影を実施することができる。
【００５６】
なお、カメラ本体５０の底面とは、シャッターやストロボが装着された正姿勢におけるカメラ本体５０の上部とは反対側の面である。
【００５７】
スイッチフレキ（フレキシブル基板）２４は、後枠２０の被写体とは反対側を構成するスイッチユニット枠２０ｂの各種スイッチと回路基板２５（図２Ａ等参照）とを電気的に接続するフレキシブル基板である。スイッチフレキ２４は、図５に示すように、スイッチユニット枠２０ｂの内周面に沿って配置されている。
【００５８】
本実施形態のレンズ鏡筒１０では、上述したように、三脚座２１が取り付けられた後枠２０は、マウントベース１８に対して回転可能である。このとき、スイッチフレキ２４の一方の端子が接続された回路基板２５は、マウントベース１８側の部材に固定されている。一方、スイッチフレキ２４の他方の端子が接続された各種スイッチはスイッチユニット枠２０ｂとともに回転する。
【００５９】
このため、スイッチフレキ２４は、図１１に示す正姿勢と図１２に示す９０度回転姿勢において、スイッチユニット枠２０ｂの内周面側において、屈曲した状態で配置される。
【００６０】
具体的には、カメラ１００が図１１に示す正姿勢の状態では、スイッチフレキ２４は、図１３Ａに示すように、スイッチユニット枠２０ｂの内周面に沿って、長手方向におけるほぼ中央において折り曲げられた状態となる。
【００６１】
一方、カメラ１００が図１２に示す９０度の回転姿勢の状態では、スイッチフレキ２４は、図１３Ｂに示すように、スイッチユニット枠２０ｂの内周面に沿って、長手方向における一方の端部近傍において折り曲げられた状態となる。
【００６２】
これにより、三脚が接続された状態でカメラ１００の姿勢を変更した場合でも、三脚座２１が取り付けられた後枠２０の回転に追従してスイッチフレキ２４が屈曲度を変更する。この結果、後枠２０を回転させた場合でも、スイッチユニット枠２０ｂの各種スイッチ類と、回路基板２５との電気的接続を確保することができる。
【００６３】
これにより、後枠２０にスイッチ部材２０ｃを設けつつ、外装ユニット（前枠）１９を後枠２０に対して相対的に回転可能とすることができる。後枠２０にスイッチ部材２０ｃを設けることにより、カメラ本体５０の撮影姿勢を回転させたとしても、三脚に対するスイッチ部材２０ｃの位置が変わらない。これにより、カメラ本体５０の姿勢が正姿勢のときと９０度回転姿勢のときとで、各種スイッチの操作位置を一定にすることができる。
【００６４】
次に、図１１に示すように、カメラ１００の撮影姿勢が正姿勢にある状態と、図１２に示すカメラ１００を９０度回転させた状態とに、容易に位置決め可能になる構成について説明する。
【００６５】
本構成においては、三脚座１２１には、図１４に示すように、係止ピン１２１ｇと、固定ねじ１２１ｈとが設けられている。係止ピン１２１ｇは、三脚ベース１２１ｃを貫通する貫通孔に挿入されている。固定ねじ１２１ｈは、係止ピン１２１ｇを径方向において進退させる。図１５Ａおよび図１５Ｂに示すように、外装ユニット１９には、段差である当接部１９ａが２箇所に形成されている。ここでは、２つの段差は円周上で中心角が９０度となる位置に形成されている。後枠２０の回転に伴って三脚座１２１が移動するとき、所定の位置で係止ピン１２１ｇが当接部１９ａに当たることで後枠２０の回転範囲が規制される。後枠２０の回転範囲の両端においては、三脚座１２１の係止ピン１２１ｇが外装ユニット１９の当接部１９ａに当たった状態となる。この状態で三脚ロックねじ２２を回転させて後枠２０の回転を規制することで、外装ユニット１９と後枠２０とを所定の回転位置において固定することができる。このような構成により、係止ピン１２１ｇおよび当接部１９ａによって、後枠２０を、正姿勢および９０度回転姿勢での回転位置に容易に固定することができる。
【００６６】
［他の実施形態］
以上、本開示の一実施形態について説明したが、本開示は上記実施形態に限定されるものではなく、開示の要旨を逸脱しない範囲で種々の変更が可能である。
【００６７】
（Ａ）
上記実施形態では、図４に示すように、三脚座２１が取り付けられた後枠２０が、三脚ベースリング２０ａとスイッチユニット枠２０ｂとに分割される例を挙げて説明した。しかし、本開示はこれに限定されるものではない。
【００６８】
例えば、三脚ベースリング２０ａの部分とスイッチユニット枠２０ｂの部分とが分割不能であって一体化された後枠に、三脚座を設けてもよい。
【００６９】
（Ｂ）
上記実施形態では、図４等に示すように、レンズ鏡筒１０の外装部分の一部を構成する後枠２０に、三脚座２１を取り付けた例を挙げて説明した。しかし、本開示はこれに限定されるものではない。
【００７０】
例えば、カメラ本体へ取り付けられるマウントベースに対して回転可能な状態で取り付けられた回転部材であれば、他の外装部分へ三脚座が取り付けられたレンズ鏡筒であってもよい。
【００７１】
（Ｃ）
上記実施形態では、図６に示すように、三脚座２１が、後枠２０（三脚ベースリング２０ａ）の外周面に対して、複数のねじ２１ｄ，２１ｅを用いて取り付けられる例を挙げて説明した。しかし、本開示はこれに限定されるものではない。
【００７２】
例えば、三脚座が後枠と一体成形されたレンズ鏡筒であってもよい。
【００７３】
（Ｄ）
上記実施形態では、カメラ１００が正姿勢（図１１）と９０度回転姿勢（図１２）とにある状態で、後枠２０の回転を規制するために、三脚ロックねじ２２を回転操作する例を挙げて説明した。しかし、本開示はこれに限定されるものではない。
【００７４】
例えば、三脚に固定されたカメラを被写体に対して４５度傾けた状態で撮影する場合には、所望の回転角度の姿勢で後枠の回転を規制するように、三脚ロックねじを回転操作してもよい。
【００７５】
すなわち、三脚ロックねじは、正姿勢と９０度回転姿勢とに限らず、他のカメラ姿勢において回転操作されて、後枠の回転を規制してもよい。
【００７６】
（Ｅ）
上記実施形態では、所望の姿勢において後枠２０の回転を規制して後枠２０を固定する際に、内周側（径方向内側）に向かって押圧力を加えるために、三脚ロックねじ２２を回転操作する例を挙げて説明した。しかし、本開示はこれに限定されるものではない。
【００７７】
例えば、三脚ロックねじ等の固定部材としては、回転操作されるものに限定されるものではなく、押し込み式の部材を用いてよい。
【００７８】
この場合には、所望の姿勢において後枠２０の回転を規制して固定するために、所望の回転位置において固定部材を押し込むことで、内周面側へ押圧力を付与することができる。この結果、上記実施形態と同様の効果を得ることができる。
【００７９】
一方で、押圧力を加える構成によれば、後枠の回転は摩擦力により規制される。これにより、カメラ１００に加わる振動等により後枠の回転位置がぐらつくことを防止できる。
【産業上の利用可能性】
【００８０】
本開示のレンズ鏡筒は、リング式の回転三脚座を不要とし、小型化や部品点数の削減を図ることができるという効果を奏することから、三脚座を備えたレンズ鏡筒に対して広く適用可能である。
【符号の説明】
【００８１】
１０  レンズ鏡筒
１１  １群ユニット
１２  ２群ユニット
１３  カム枠
１４  固定枠
１５  ３群ユニット
１６  ４群ユニット
１７  ５群ユニット
１８  マウントベース
１９  外装ユニット（前枠）
１９ａ  当接部
２０  後枠
２０ａ  三脚ベースリング
２０ａａ  取付部
２０ｂ  スイッチユニット枠
２０ｃ  スイッチ部材
２１  三脚座
２１ａ  三脚ねじ
２１ａａ  円柱部
２１ａｂ  ねじ部
２１ｂ  ねじ
２１ｃ  三脚ベース
２１ｄ  ねじ
２１ｅ  ねじ
２１ｆ  カバー
２２  三脚ロックねじ（固定部材）
２２ａ  回転つまみ
２２ｂ  ロックねじ
２２ｂａ  雄ねじ部
２２ｃ  ねじ
２２ｄ  ねじベース
２２ｄａ  雌ねじ部
２２ｅ  止め具
２２ｆ  押さえピン
２２ｇ  ねじ
２３  三脚補強リング
２４  スイッチフレキ（フレキシブル基板）
２５  回路基板
３０  レンズフード
５０  カメラ本体
１００  カメラ
１２１  三脚座
１２１ｃ  三脚ベース
１２１ｇ  係止ピン
１２１ｈ  固定ねじ
Ｌ１〜Ｌ１８  レンズ
【図１Ａ】
2017115465.tif 000003
【図１Ｂ】
2017115465.tif 000004
【図２Ａ】
2017115465.tif 000005
【図２Ｂ】
2017115465.tif 000006
【図３】
2017115465.tif 000007
【図４】
2017115465.tif 000008
【図５】
2017115465.tif 000009
【図６】
2017115465.tif 000010
【図７】
2017115465.tif 000011
【図８】
2017115465.tif 000012
【図９】
2017115465.tif 000013
【図１０】
2017115465.tif 000014
【図１１】
2017115465.tif 000015
【図１２】
2017115465.tif 000016
【図１３Ａ】
2017115465.tif 000017
【図１３Ｂ】
2017115465.tif 000018
【図１４】
2017115465.tif 000019
【図１５Ａ】
2017115465.tif 000020
【図１５Ｂ】
2017115465.tif 000021
【手続補正書】
【提出日】平成30年5月25日(2018.5.25)
【手続補正１】
【補正対象書類名】明細書
【補正対象項目名】全文
【補正方法】変更
【補正の内容】
【発明の詳細な説明】
【技術分野】
【０００１】
本開示は、レンズ鏡筒およびこれを備えたカメラに関する。
【背景技術】
【０００２】
焦点距離が長いレンズ鏡筒は、一般的なレンズ鏡筒よりも大型化し重量が大きくなる。このため、焦点距離が長いレンズ鏡筒がカメラ本体へ装着されると、カメラの重心位置が被写体側へ移動する。この結果、カメラ本体側に三脚を接続した場合には、カメラの重心位置が被写体側に移動するため、被写体側へ倒れてしまうおそれがある。
【０００３】
そこで、焦点距離が長いレンズ鏡筒を装着したカメラをバランスよく三脚で支持するために、三脚座を備えたレンズ鏡筒が用いられている。
【０００４】
特許文献１には、三脚座が三脚リングを介して外装環に取り付けられたレンズ鏡筒について開示されている。
【先行技術文献】
【特許文献】
【０００５】
【特許文献１】特開２０１２−３７６９３号公報
【発明の概要】
【０００６】
リング式の回転三脚座を有するレンズ鏡筒においては、レンズ鏡筒の小型化や部品点数の削減が難しい。
【０００７】
本開示に係るレンズ鏡筒は、カメラ本体に着脱可能なレンズ鏡筒である。レンズ鏡筒は、前枠と、後枠と、三脚座と、固定部材と、を備える。前枠は、光学系を含む。後枠は、前枠に対して光軸回りに回転可能な状態で取り付けられる。レンズ鏡筒の外周面は、前枠と後枠とにより構成される。三脚座は、三脚に固定されるために後枠に設けられる。固定部材は、前枠にカメラ本体が取り付けられた状態において、カメラ本体に対する後枠の光軸回りの回転位置を、所定の回転位置において固定する。
【０００８】
本開示に係るレンズ鏡筒によれば、レンズ鏡筒の小型化や部品点数の削減を図ることができる。
【図面の簡単な説明】
【０００９】
【図１Ａ】図１Ａは、本開示の一実施形態に係るレンズフードの保持構造を含むレンズ鏡筒の光学系が広角側（ＷＩＤＥ位置）にある状態を示す斜視図である。
【図１Ｂ】図１Ｂは、図１Ａのレンズ鏡筒の光学系が望遠側（ＴＥＬＥ位置）へ移動した状態を示す斜視図である。
【図２Ａ】図２Ａは、図１Ａのレンズ鏡筒の断面図である。
【図２Ｂ】図２Ｂは、図１Ｂのレンズ鏡筒の断面図である。
【図３】図３は、図１Ａのレンズ鏡筒を構成する各部品の分解斜視図である。
【図４】図４は、図１Ａのレンズ鏡筒の被写体とは反対側の外装部分を構成する後枠の分解斜視図である。
【図５】図５は、図４の後枠のさらに詳細な分解斜視図である。
【図６】図６は、図４の後枠に取り付けられる三脚座の構成を示す分解斜視図である。
【図７】図７は、図４の後枠に取り付けられる三脚ロックねじの構成を示す分解斜視図である。
【図８】図８は、図４の後枠に取り付けられる三脚ロックねじの構成を示す分解斜視図である。
【図９】図９は、図１Ａのレンズ鏡筒の三脚座が正姿勢時の状態を示す断面図である。
【図１０】図１０は、図１Ａのレンズ鏡筒の三脚座が正姿勢から９０度回転した状態を示す断面図である。
【図１１】図１１は、図１Ａのレンズ鏡筒がカメラ本体に装着された状態で三脚座が正姿勢時の状態を示す斜視図である。
【図１２】図１２は、図１Ａのレンズ鏡筒がカメラ本体に装着された状態で三脚座が正姿勢から９０度回転した状態を示す斜視図である。
【図１３Ａ】図１３Ａは、図１Ａのレンズ鏡筒がカメラ本体に装着された状態で三脚座が正姿勢時のスイッチフレキ部を示す図である。
【図１３Ｂ】図１３Ｂは、図１Ａのレンズ鏡筒がカメラ本体に装着された状態で三脚座が正姿勢から９０度回転させた際のスイッチフレキ部を示す図である。
【図１４】図１４は、本開示の他の実施形態に係るレンズ鏡筒に含まれる後枠に取り付けられる三脚座の構成を示す分解斜視図である。
【図１５Ａ】図１５Ａは、図１４のレンズ鏡筒がカメラ本体に装着された状態で三脚座が正姿勢時の状態を示す断面図である。
【図１５Ｂ】図１５Ｂは、図１４のレンズ鏡筒がカメラ本体に装着された状態で三脚座が正姿勢から９０度回転した状態を示す断面図である。
【発明を実施するための形態】
【００１０】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって請求の範囲に記載の主題を限定することを意図するものではない。
【００１２】
従来のレンズ鏡筒は、レンズ鏡筒を支持する三脚を取り付けるために、三脚座を設けるための部材（三脚リング）を別途設ける必要があった。このため、レンズ鏡筒を構成する部品点数が増加するとともに、レンズ鏡筒を大型化するおそれがあった。
【００１３】
（実施形態１）
本開示の一実施形態に係るレンズ鏡筒について、図１Ａ〜図１５Ｂを用いて以下に説明する。
【００１４】
（レンズ鏡筒１０全体の構成）
本実施形態に係るレンズ鏡筒１０は、カメラ本体５０（図１１および図１２参照）のマウント部に装着されるレンズ鏡筒である。カメラ１００は、レンズ鏡筒１０とカメラ本体５０とから構成される。レンズ鏡筒１０は、カメラ本体５０に設けられた撮像素子へ、被写体像を導く光学系（レンズＬ１〜Ｌ１８（図２Ａ等参照））を有している。
【００１５】
また、レンズ鏡筒１０は、図１Ａ等に示すように、被写体側の先端部分に、レンズフード３０が被写体側へ繰り出し可能な状態で取り付けられている。さらに、レンズ鏡筒１０は、図１Ａおよび図１Ｂに示すように、内蔵する光学系が広角側（ＷＩＤＥ位置）と望遠側（ＴＥＬＥ位置）との間において移動することで、倍率を変えて撮影を行うことができる。
【００１６】
レンズ鏡筒１０は、図１Ａに示すＷＩＤＥ位置にある状態では、図２Ａに示すように、１群ユニット１１が外装ユニット１９の内周面側に収納された状態となる。
【００１７】
一方、レンズ鏡筒１０は、図１Ｂに示すＴＥＬＥ位置にある状態では、図２Ｂに示すように、１群ユニット１１が光軸Ｘ方向に沿って被写体側へ進出し、外装ユニット１９から被写体寄りに突出した状態となる。
【００１８】
そして、レンズ鏡筒１０は、図３に示すように、１群ユニット１１、２群ユニット１２、カム枠１３、固定枠１４、３群ユニット１５、４群ユニット１６、５群ユニット１７、マウントベース１８、外装ユニット（前枠）１９、後枠２０、複数のレンズＬ１〜Ｌ１８を含む光学系、を備えている。
【００１９】
１群ユニット１１は、図３に示すように、レンズ鏡筒１０における最も被写体側へ配置された筒状の部材である。１群ユニット１１は、図２Ａおよび図２Ｂ等に示すように、被写体側においてレンズＬ１〜Ｌ３を保持した状態で、光軸Ｘ方向に沿って前進または後退する。これにより、レンズＬ１〜Ｌ１８の間の距離を変化させることで、光学系の倍率を変えることができる。すなわち、広角撮影や望遠撮影等を行うことができる。
【００２０】
また、本実施形態の１群ユニット１１は、被写体側の先端部分に設けられており、撮影時の不要光の入射を抑制するレンズフード３０を有している。
【００２１】
レンズフード３０は、図３に示すように、円筒状の部材である。レンズフード３０は、使用時には、光軸Ｘ方向に沿って被写体側へ繰り出し可能な状態で取り付けられている。
【００２２】
２群ユニット１２は、図２Ａおよび図２Ｂ等に示すように、１群ユニット１１の内周面側に配置された円筒状の部材であって、レンズＬ４〜Ｌ９を保持している。
【００２３】
カム枠１３は、図３に示すように、円筒状の部材であって、４群ユニット１６の外周面側に配置されている。そして、カム枠１３には、４群ユニット１６の外周面に設けられたカムピン（図示せず）が嵌合するカム溝が形成されている。カム枠１３は、使用者により回転操作されるズームリングと係合されている。カム枠１３は、ズームリングの回転に伴い、回転駆動される。
【００２４】
カム枠１３が回転すると、カム溝に沿ってカムピンが移動する。これにより、カム枠１３を回転させることにより、１群ユニット１１から５群ユニット１７の光軸Ｘ方向における位置を調整できる。よって、１群ユニット１１から５群ユニット１７に含まれるレンズＬ１〜Ｌ１８間の距離を調整して、広角撮影や望遠撮影等を行うことができる。
【００２５】
固定枠１４は、図３に示すように、円筒状の２群ユニット１２および４群ユニット１６の外周側に配置された円筒状の部材である。固定枠１４は、２群ユニット１２から４群ユニット１６の外周面を覆うように配置されている。
【００２６】
３群ユニット１５は、図３に示すように、円筒状の４群ユニット１６の内周側に、光軸Ｘ方向において移動可能な状態で配置されている。３群ユニット１５は、図２Ａ、図２Ｂに示すように、レンズＬ１０〜Ｌ１５を保持している。そして、３群ユニット１５は、カム枠１３の回転に伴い、光軸Ｘ方向に移動する。
【００２７】
４群ユニット１６は、略円筒状であり、４群ユニット１６は、レンズＬ１６を保持している。４群ユニット１６は、図３に示すように、光軸Ｘ方向における被写体側から見て、３群ユニット１５の下流側に配置されている。４群ユニット１６は、カム枠１３の回転に伴い、光軸Ｘ方向に移動する。オートフォーカス用のアクチュエータは、４群ユニット１６のレンズＬ１６を、カム枠１３に対して相対的に光軸Ｘ方向に移動させる。
【００２８】
５群ユニット１７は、図３に示すように、円筒状の４群ユニット１６の内周側に、光軸Ｘ方向において移動可能な状態で配置されている。５群ユニット１７は、図２Ａ、図２Ｂに示すように、レンズＬ１７，Ｌ１８を保持している。そして、５群ユニット１７は、カム枠１３の回転に伴い、光軸Ｘ方向に移動する。
【００２９】
マウントベース１８は、図３に示すように、レンズ鏡筒１０のベースとなる略円筒状の部材である。マウントベース１８には、相対的に回転可能な状態でカム枠１３が取り付けられる。４群ユニット１６は、カム枠１３と固定枠１４の内周に保持されている。
【００３０】
外装ユニット（前枠）１９は、図１Ａおよび図４等に示すように、レンズ鏡筒１０の外装部分（外周面）を構成する円筒状の部材である。外装ユニット１９外周面には、円環状のフォーカスリングやズームリング等が回転可能な状態で取り付けられている。
【００３１】
後枠２０は、外装ユニット１９の被写体とは反対側の端部に取り付けられている。後枠２０と外装ユニット１９とは、ともにレンズ鏡筒１０の外装部分を構成する。そして、後枠２０は、マウントベース１８、および、外装ユニット１９に対して相対的に回転可能な状態で取り付けられている。
【００３２】
また、後枠２０は、外周面に使用者が操作するためのスイッチ部材２０ｃを有する。後枠２０は、回路基板２５（図２Ｂ等参照）と、スイッチフレキ部（フレキシブル基板）２４（図５等参照）とを内包している。回路基板２５は、使用者によるスイッチ部材２０ｃの操作を検出する。スイッチフレキ部２４は、回路基板２５に電気的に接続されている。さらに、後枠２０は、図４に示すように、三脚ベースリング２０ａと、スイッチユニット枠２０ｂとを有している。
【００３３】
三脚ベースリング２０ａには、図４に示すように、外周部分に、三脚を接続するための三脚座２１が取り付けられる。また、三脚ベースリング２０ａは、図５に示すように、マウントベース１８における被写体とは反対側の端部に、三脚補強リング２３を介して取り付けられている。
【００３４】
取付部２０ａａは、図４に示すように、三脚ベースリング２０ａの外周面から内周面側へ貫通するように形成された開口部である。三脚座２１は、取付部２０ａａに取り付けられる。
【００３５】
スイッチユニット枠２０ｂは、図４に示すように、三脚ベースリング２０ａの被写体とは反対側の端部に取り付けられる円筒状の部材である。なお、スイッチユニット枠２０ｂは、図５に示すように、図示しない複数のねじを用いて、三脚ベースリング２０ａに固定される。そして、スイッチユニット枠２０ｂは、オートフォーカス（ＡＦ）とマニュアルフォーカス（ＭＦ）とを切り替えるスイッチを含む各種スイッチ（スイッチ部材２０ｃ）が外周面に設けられている。
【００３６】
三脚座２１は、図示しない三脚が接続される台座である。三脚座２１は、レンズ鏡筒１０の外装部分を構成する三脚ベースリング２０ａの外周面に取り付けられる。そして、三脚座２１は、図６に示すように、三脚ねじ２１ａ、ねじ２１ｂ、三脚ベース２１ｃ、ねじ２１ｄ、ねじ２１ｅ、カバー２１ｆを有している。
【００３７】
三脚ねじ２１ａは、三脚側の雄ねじ部分が螺合する金属製の部材である。これにより、三脚座２１に対して三脚が固定される。三脚ねじ２１ａは、図６に示すように、円柱部２１ａａ、ねじ部２１ａｂを有している。
【００３８】
円柱部２１ａａは、三脚ベースリング２０ａに形成された開口部（取付部２０ａａ）に対して挿入された状態で取り付けられる。
【００３９】
ねじ部２１ａｂは、三脚側の雄ねじ部分が螺合する雌ねじ部分である。ねじ部２１ａｂは、図６に示すように、三脚ねじ２１ａにおいて、円柱部２１ａａの反対側の面に形成されている。
【００４０】
ねじ２１ｂは、図６に示すように、三脚ねじ２１ａを三脚ベース２１ｃに対して固定するために用いられる。
【００４１】
三脚ベース２１ｃは、図６に示すように、三脚ベースリング２０ａに取り付けられる。三脚ベース２１ｃは、ねじ２１ｄおよびねじ２１ｅを用いて、４箇所から三脚ベースリング２０ａの外周面に固定される。三脚ベース２１ｃには、三脚ねじ２１ａが取り付けられる。これにより、三脚ベースリング２０ａは、三脚ねじ２１ａに対して固定される。すなわち、三脚ねじ２１ａに三脚が取り付けられている状態において、三脚ベースリング２０ａは、三脚に対して固定されている。
【００４２】
カバー２１ｆは、図６に示すように、三脚ベース２１ｃにおける三脚が接続される側（図６中下側）の面を構成する樹脂製の板状部材である。カバー２１ｆには、ねじ２１ｅを挿入するためのねじ穴が形成されている。なお、板状部材は金属製であってもよい。
【００４３】
三脚ロックねじ（固定部材）２２は、図６等に示すように、三脚ベースリング２０ａの外周面に取り付けられている。三脚ロックねじ２２が解放状態のとき、後枠２０は、外装ユニット１９（前枠）に対して相対的に回転可能である。三脚ロックねじ２２が固定状態のとき、三脚ロックねじ２２は、後枠２０と外装ユニット１９との相対回転を規制する。これにより、後枠２０と外装ユニット１９の相対回転を任意の回転位置で固定することができる。具体的には、三脚ロックねじ２２は、図７および図８に示すように、回転つまみ２２ａ、ロックねじ２２ｂ、ねじ２２ｃ、ねじベース２２ｄ、止め具２２ｅ、押さえピン２２ｆ、およびねじ２２ｇを有している。この構成により、三脚ロックねじ２２は、光軸Ｘに交差する方向に押圧力を付与し、後枠２０の外装ユニット１９に対する相対的な回転を規制することができる。
【００４４】
回転つまみ２２ａは、三脚ロックねじ２２の外装面を構成する回転つまみ部材であって、使用者の指によって回転操作される。
【００４５】
ロックねじ２２ｂは、図８に示すように、三脚ベースリング２０ａに取り付けられるための雄ねじ部２２ｂａを有している。そして、ロックねじ２２ｂは、図７および図８に示すように、２本のねじ２２ｃを用いて、回転つまみ２２ａの裏面側へ固定される。
【００４６】
ねじベース２２ｄは、図７および図８に示すように、ロックねじ２２ｂの雄ねじ部２２ｂａが螺合する雌ねじ部２２ｄａを有している。雌ねじ部２２ｄａに雄ねじ部２２ｂａが螺合することにより、ねじベース２２ｄと回転つまみ２２ａとは、回転可能な状態で取り付けられる。また、ねじベース２２ｄは、図７および図８に示すように、２本のねじ２２ｇを用いて、三脚ベースリング２０ａの外周面に固定される。
【００４７】
止め具２２ｅは、図７および図８に示すように、ねじベース２２ｄと取付部２０ａａとの間に挟みこまれるように配置されている。止め具２２ｅは、雄ねじ部２２ｂａの回転範囲を規制する。これにより、止め具２２ｅは、雄ねじ部２２ｂａが雌ねじ部２２ｄａに螺合した状態から外れてしまうことを防止する。
【００４８】
押さえピン２２ｆは、ロックねじ２２ｂの雄ねじ部２２ｂａの先端部分に固定されている。回転つまみ２２ａが回転操作されたとき、押さえピン２２ｆは、径方向に移動する。三脚ロックねじ２２の固定状態は、押さえピン２２ｆが押し込む方向に移動した状態、すなわち、押さえピン２２ｆが三脚ベースリング２０ａの取付部２０ａａの開口から内周面側（径方向内側）へ突出した状態である。これにより、三脚ロックねじ２２が固定状態のとき、押さえピン２２ｆは、三脚ベースリング２０ａの内周面側へ配置された部材（三脚補強リング２３）に対して押圧力を加えることができる。
【００４９】
三脚補強リング２３は、図９および図１０に示すように、三脚ロックねじ２２の押さえピン２２ｆの内周側に配置された金属製（アルミ材（Ａ５０５２）、ステンレス鋼材（ＳＵＳ）等）のリング状部材である。三脚ロックねじ２２が回転操作されて三脚ベースリング２０ａの内周側（径方向内側）へ押し込まれると、押さえピン２２ｆは、三脚補強リング２３の外周面に押圧力を加える。これにより、押さえピン２２ｆと三脚補強リング２３との間に摩擦力が生じる。三脚補強リング２３は、内周側に配置された部材（外装ユニット１９の後端部）に対して、ビスにより固定されている。これにより、後枠２０に対する外装ユニット１９の回転を規制することができる。
【００５０】
このとき、押さえピン２２ｆが加える押圧力が外装ユニット１９に加わると、外装ユニット１９の後端部が変形する恐れがある。三脚補強リング２３は、外装ユニット１９よりも剛性が高いことにより、押さえピン２２ｆが加える押圧力を分散させることができる。これにより、押さえピン２２ｆが加える押圧力による外装ユニット１９の後端部の変形を防ぐことができる。
【００５１】
以上のように、後枠２０に対する外装ユニット１９の回転を規制することにより、マウントベース１８（カメラ本体５０）に対する後枠２０の回転を規制することができる。この結果、三脚座２１に対するカメラ本体５０の回転位置を所望の回転位置において固定することができる。すなわち、レンズ鏡筒１０を三脚に固定した状態で、カメラ１００の撮影姿勢を変更し、その撮影姿勢を保持することができる。
【００５２】
カメラ本体５０が被写体に対して正姿勢の状態で三脚を用いた撮影を行う場合、図１１に示すように、三脚座２１の回転位置は、カメラ本体５０の底面の回転位置と同じである。このため、図１１に示す正姿勢で撮影を行う場合には、図９に示す回転位置において三脚ロックねじ２２を時計回りに回転させて固定状態とし、後枠２０の回転を規制する。
【００５３】
これにより、正姿勢における三脚座２１とカメラ本体５０との相対的な回転位置を保持することができる。すなわち、撮影時にカメラ本体５０が回転してしまうことを防止しつつ、撮影を実施することができる。
【００５４】
一方、図１２に示すように、カメラ本体５０を被写体に対して９０度回転させた状態で三脚を用いた撮影を行う場合、三脚座２１は、カメラ本体５０の底面に対して９０度の位置になるように回転させた位置で固定する。図１２に示す回転姿勢（９０度回転姿勢）で撮影を行う場合には、図１０に示す回転位置において三脚ロックねじ２２を時計回りに回転させて固定状態とし、後枠２０の回転を規制する。
【００５５】
これにより、９０度回転姿勢における三脚座２１とカメラ本体５０との相対的な回転位置を保持することができる。すなわち、撮影時にカメラ本体５０が回転してしまうことを防止しつつ、撮影を実施することができる。
【００５６】
なお、カメラ本体５０の底面とは、シャッターやストロボが装着された正姿勢におけるカメラ本体５０の上部とは反対側の面である。
【００５７】
スイッチフレキ部（フレキシブル基板）２４は、後枠２０の被写体とは反対側を構成するスイッチユニット枠２０ｂの各種スイッチと回路基板２５（図２Ａ等参照）とを電気的に接続するフレキシブル基板である。スイッチフレキ部２４は、図５に示すように、スイッチユニット枠２０ｂの内周面に沿って配置されている。
【００５８】
本実施形態のレンズ鏡筒１０では、上述したように、三脚座２１が取り付けられた後枠２０は、マウントベース１８に対して回転可能である。このとき、スイッチフレキ部２４の一方の端子が接続された回路基板２５は、マウントベース１８側の部材に固定されている。一方、スイッチフレキ部２４の他方の端子が接続された各種スイッチはスイッチユニット枠２０ｂとともに回転する。
【００５９】
このため、スイッチフレキ部２４は、図１１に示す正姿勢と図１２に示す９０度回転姿勢において、スイッチユニット枠２０ｂの内周面側において、屈曲した状態で配置される。
【００６０】
具体的には、カメラ１００が図１１に示す正姿勢の状態では、スイッチフレキ部２４は、図１３Ａに示すように、スイッチユニット枠２０ｂの内周面に沿って、長手方向におけるほぼ中央において折り曲げられた状態となる。
【００６１】
一方、カメラ１００が図１２に示す９０度の回転姿勢の状態では、スイッチフレキ部２４は、図１３Ｂに示すように、スイッチユニット枠２０ｂの内周面に沿って、長手方向における一方の端部近傍において折り曲げられた状態となる。
【００６２】
これにより、三脚が接続された状態でカメラ１００の姿勢を変更した場合でも、三脚座２１が取り付けられた後枠２０の回転に追従してスイッチフレキ部２４が屈曲度を変更する。この結果、後枠２０を回転させた場合でも、スイッチユニット枠２０ｂの各種スイッチ類と、回路基板２５との電気的接続を確保することができる。
【００６３】
これにより、後枠２０にスイッチ部材２０ｃを設けつつ、外装ユニット（前枠）１９を後枠２０に対して相対的に回転可能とすることができる。後枠２０にスイッチ部材２０ｃを設けることにより、カメラ本体５０の撮影姿勢を回転させたとしても、三脚に対するスイッチ部材２０ｃの位置が変わらない。これにより、カメラ本体５０の姿勢が正姿勢のときと９０度回転姿勢のときとで、各種スイッチの操作位置を一定にすることができる。
【００６４】
次に、図１１に示すように、カメラ１００の撮影姿勢が正姿勢にある状態と、図１２に示すカメラ１００を９０度回転させた状態とに、容易に位置決め可能になる構成について説明する。
【００６５】
本構成においては、三脚座１２１には、図１４に示すように、係止ピン１２１ｇと、固定ねじ１２１ｈとが設けられている。係止ピン１２１ｇは、三脚ベース１２１ｃを貫通する貫通孔に挿入されている。固定ねじ１２１ｈは、係止ピン１２１ｇを径方向において進退させる。図１５Ａおよび図１５Ｂに示すように、外装ユニット１９には、段差である当接部１９ａが２箇所に形成されている。ここでは、２つの段差は円周上で中心角が９０度となる位置に形成されている。後枠２０の回転に伴って三脚座１２１が移動するとき、所定の位置で係止ピン１２１ｇが当接部１９ａに当たることで後枠２０の回転範囲が規制される。後枠２０の回転範囲の両端においては、三脚座１２１の係止ピン１２１ｇが外装ユニット１９の当接部１９ａに当たった状態となる。この状態で三脚ロックねじ２２を回転させて後枠２０の回転を規制することで、外装ユニット１９と後枠２０とを所定の回転位置において固定することができる。このような構成により、係止ピン１２１ｇおよび当接部１９ａによって、後枠２０を、正姿勢および９０度回転姿勢での回転位置に容易に固定することができる。
【００６６】
［他の実施形態］
以上、本開示の一実施形態について説明したが、本開示は上記実施形態に限定されるものではなく、開示の要旨を逸脱しない範囲で種々の変更が可能である。
【００６７】
（Ａ）
上記実施形態では、図４に示すように、三脚座２１が取り付けられた後枠２０が、三脚ベースリング２０ａとスイッチユニット枠２０ｂとに分割される例を挙げて説明した。しかし、本開示はこれに限定されるものではない。
【００６８】
例えば、三脚ベースリング２０ａの部分とスイッチユニット枠２０ｂの部分とが分割不能であって一体化された後枠に、三脚座を設けてもよい。
【００６９】
（Ｂ）
上記実施形態では、図４等に示すように、レンズ鏡筒１０の外装部分の一部を構成する後枠２０に、三脚座２１を取り付けた例を挙げて説明した。しかし、本開示はこれに限定されるものではない。
【００７０】
例えば、カメラ本体へ取り付けられるマウントベースに対して回転可能な状態で取り付けられた回転部材であれば、他の外装部分へ三脚座が取り付けられたレンズ鏡筒であってもよい。
【００７１】
（Ｃ）
上記実施形態では、図６に示すように、三脚座２１が、後枠２０（三脚ベースリング２０ａ）の外周面に対して、複数のねじ２１ｄ，２１ｅを用いて取り付けられる例を挙げて説明した。しかし、本開示はこれに限定されるものではない。
【００７２】
例えば、三脚座が後枠と一体成形されたレンズ鏡筒であってもよい。
【００７３】
（Ｄ）
上記実施形態では、カメラ１００が正姿勢（図１１）と９０度回転姿勢（図１２）とにある状態で、後枠２０の回転を規制するために、三脚ロックねじ２２を回転操作する例を挙げて説明した。しかし、本開示はこれに限定されるものではない。
【００７４】
例えば、三脚に固定されたカメラを被写体に対して４５度傾けた状態で撮影する場合には、所望の回転角度の姿勢で後枠の回転を規制するように、三脚ロックねじを回転操作してもよい。
【００７５】
すなわち、三脚ロックねじは、正姿勢と９０度回転姿勢とに限らず、他のカメラ姿勢において回転操作されて、後枠の回転を規制してもよい。
【００７６】
（Ｅ）
上記実施形態では、所望の姿勢において後枠２０の回転を規制して後枠２０を固定する際に、内周側（径方向内側）に向かって押圧力を加えるために、三脚ロックねじ２２を回転操作する例を挙げて説明した。しかし、本開示はこれに限定されるものではない。
【００７７】
例えば、三脚ロックねじ等の固定部材としては、回転操作されるものに限定されるものではなく、押し込み式の部材を用いてよい。
【００７８】
この場合には、所望の姿勢において後枠２０の回転を規制して固定するために、所望の回転位置において固定部材を押し込むことで、内周面側へ押圧力を付与することができる。この結果、上記実施形態と同様の効果を得ることができる。
【００７９】
一方で、押圧力を加える構成によれば、後枠の回転は摩擦力により規制される。これにより、カメラ１００に加わる振動等により後枠の回転位置がぐらつくことを防止できる。
【産業上の利用可能性】
【００８０】
本開示のレンズ鏡筒は、リング式の回転三脚座を不要とし、小型化や部品点数の削減を図ることができるという効果を奏することから、三脚座を備えたレンズ鏡筒に対して広く適用可能である。
【符号の説明】
【００８１】
１０    レンズ鏡筒
１１    １群ユニット
１２    ２群ユニット
１３    カム枠
１４    固定枠
１５    ３群ユニット
１６    ４群ユニット
１７    ５群ユニット
１８    マウントベース
１９    外装ユニット（前枠）
１９ａ    当接部
２０    後枠
２０ａ    三脚ベースリング
２０ａａ    取付部
２０ｂ    スイッチユニット枠
２０ｃ    スイッチ部材
２１    三脚座
２１ａ    三脚ねじ
２１ａａ    円柱部
２１ａｂ    ねじ部
２１ｂ    ねじ
２１ｃ    三脚ベース
２１ｄ    ねじ
２１ｅ    ねじ
２１ｆ    カバー
２２    三脚ロックねじ（固定部材）
２２ａ    回転つまみ
２２ｂ    ロックねじ
２２ｂａ    雄ねじ部
２２ｃ    ねじ
２２ｄ    ねじベース
２２ｄａ    雌ねじ部
２２ｅ    止め具
２２ｆ    押さえピン
２２ｇ    ねじ
２３    三脚補強リング
２４    スイッチフレキ部（フレキシブル基板）
２５    回路基板
３０    レンズフード
５０    カメラ本体
１００    カメラ
１２１    三脚座
１２１ｃ    三脚ベース
１２１ｇ    係止ピン
１２１ｈ    固定ねじ
Ｌ１〜Ｌ１８    レンズ
【手続補正２】
【補正対象書類名】特許請求の範囲
【補正対象項目名】全文
【補正方法】変更
【補正の内容】
【特許請求の範囲】
【請求項１】
カメラ本体に着脱可能なレンズ鏡筒であって、
光学系を保持する前枠と、
前記前枠とともに前記レンズ鏡筒の外周面を構成し、前記前枠に対して光軸回りに回転可能な状態で取り付けられた後枠と、
三脚に固定されるために前記後枠に設けられた三脚座と、
前記前枠に前記カメラ本体が取り付けられた状態において、前記カメラ本体に対する前記後枠の光軸回りの回転位置を、所定の回転位置において固定する固定部材と、
前記三脚座から前記後枠の径方向に設けられ、前記所定の回転位置において、前記前枠の内周面に形成された円弧状の溝の両端にある当接部に当たって、前記後枠の回転範囲を規制する係止ピンと、
を備えたレンズ鏡筒。
【請求項２】
前記後枠は、操作をするためのスイッチ部材を有し、
前記三脚座が三脚に固定された状態で、前記カメラ本体を回転させたとき、前記スイッチ部材は、前記三脚に対して相対的な回転が規制されている、
請求項１に記載のレンズ鏡筒。
【請求項３】
前記後枠は、前記スイッチ部材と前記前枠とを電気的に接続するフレキシブル基板を有し、
前記係止ピンは、前記フレキシブル基板に対して、光軸方向の被写体側に位置する、
請求項２に記載のレンズ鏡筒。
【請求項４】
前記固定部材は、前記前枠に対する押圧力によって、前記後枠の回転を規制する、
請求項１から３のいずれか１項に記載のレンズ鏡筒。
【請求項５】
前記固定部材は、前記光軸に交差する方向に進退するために形成されたネジ部を有している、
請求項４に記載のレンズ鏡筒。
【請求項６】
請求項１から５のいずれか１項に記載のレンズ鏡筒と、
前記レンズ鏡筒が装着されるカメラ本体と、
を備えたカメラ。
【手続補正３】
【補正対象書類名】図面
【補正対象項目名】全図
【補正方法】変更
【補正の内容】
【図１Ａ】
2017115465.tif 000022
【図１Ｂ】
2017115465.tif 000023
【図２Ａ】
2017115465.tif 000024
【図２Ｂ】
2017115465.tif 000025
【図３】
2017115465.tif 000026
【図４】
2017115465.tif 000027
【図５】
2017115465.tif 000028
【図６】
2017115465.tif 000029
【図７】
2017115465.tif 000030
【図８】
2017115465.tif 000031
【図９】
2017115465.tif 000032
【図１０】
2017115465.tif 000033
【図１１】
2017115465.tif 000034
【図１２】
2017115465.tif 000035
【図１３Ａ】
2017115465.tif 000036
【図１３Ｂ】
2017115465.tif 000037
【図１４】
2017115465.tif 000038
【図１５Ａ】
2017115465.tif 000039
【図１５Ｂ】
2017115465.tif 000040
【国際調査報告】
2017115465.tif 000041
2017115465.tif 000042
2017115465.tif 000043
2017115465.tif 000044